(57)【要約】【課題】使用していない変速機が遊転する時のトルク変動により生じる歯打ち音を低減することが可能な車両用動力伝達装置を提供する。【解決手段】入力軸４と出力軸との間には、無段変速機とギヤ機構とが並列的に接続されている。無段変速機を遊転させ、かつギヤ機構を使用する動力伝達経路を成立可能にする油圧式クラッチ機構を備える。油圧式クラッチ機構に作動油を供給する油路には押圧部が設けられている。押圧部は、作動油により入力軸４をプライマリ軸６に当接させる方向に押圧力を発生する。入力軸４およびプライマリ軸６には角部６６およびテーパ部６８が設けられている。角部６６およびテーパ部６８は、押圧力により当接した際に作用する楔効果により入力軸４とプライマリ軸６とを回転方向で一体化させる。【選択図】図４
2020026852.tif 000002
【特許請求の範囲】
【請求項１】
駆動力源が出力したトルクが伝達される入力軸と、前記トルクを駆動輪に伝達する出力軸と、前記入力軸にスプライン結合された入力側部材を有しかつ前記入力側部材に伝達されるトルクを連続的に変化する変速比に応じて増減して前記出力軸に伝達する無段変速機と、前記入力軸と前記出力軸との間でかつ前記無段変速機と並列に配置されかつ前記入力軸から伝達されるトルクを前記無段変速機で設定できない少なくとも一つの変速比で増減して前記出力軸に伝達するギヤ機構と、前記無段変速機を遊転させかつ前記ギヤ機構を使用する動力伝達経路を成立可能にする油圧式クラッチ機構とを備えた車両用動力伝達装置において、
前記入力軸は、前記入力軸の軸線方向に移動可能に構成され、前記油圧式クラッチ機構を係合させる油圧を作用させて前記入力軸を前記入力側部材側に移動させる押圧部が設けられ、
前記入力軸におけるスプライン歯の端部と前記入力側部材における前記端部に対向する箇所とに、互いに当接することによりトルク伝達可能に係合する係合部が設けられている、
ことを特徴とする車両用動力伝達装置。
【発明の詳細な説明】
【技術分野】
【０００１】
この発明は、駆動力源から伝達された動力を駆動輪に伝達するための車両用動力伝達装置に関するものである。
【背景技術】
【０００２】
従来、車両の巡航時に無段変速機を使用し、発進時には無段変速機に並列に設けられたギヤ機構を使用する車両用動力伝達装置が知られている（例えば、特許文献１参照）。その無段変速機のプライマリ軸には、駆動力源からトルクが入力される入力軸がスプライン結合により連結されている。また、入力軸は、第１クラッチ機構を介してギヤ機構に連結されている。ギヤ機構は、発進時の駆動トルクを大きくするために、あるいは低負荷高速走行時にエンジン回転数を低下させるために、無段変速機で設定できる変速比を超えた大きい変速比もしくは小さい変速比を設定できるように構成されている。第１クラッチ機構は、ギヤ機構を使用する際にトルクをギヤ機構に伝達する係合状態に設定され、無段変速機を使用する際には解放状態に設定される。また、無段変速機のセカンダリプーリと出力軸との間には、第２クラッチ機構が設けられている。第２クラッチ機構は、上記の第１クラッチ機構とは反対に、ギヤ機構を使用する際に解放状態に設定され、無段変速機を使用する際に係合状態に設定される。
【先行技術文献】
【特許文献】
【０００３】
【特許文献１】特開２０１６−１４８４０７号公報
【発明の概要】
【発明が解決しようとする課題】
【０００４】
特許文献１に記載された構成の装置では、ギヤ機構を使用して入力軸から出力軸にトルクを伝達する場合、第２クラッチ機構を解放状態にして無段変速機と出力軸との連結を解除するが、入力軸と無段変速機（特にそのプライマリプーリ）とは連結されたままとなる。したがって、無段変速機はトルクを伝達しない状態で入力軸と共に回転するいわゆる遊転状態となる。入力軸とプライマリプーリ軸とを連結しているスプラインには、回転方向に不可避的なクリアランスが存在し、またトルクの伝達に関与していない無段変速機の回転慣性が、入力軸側の回転慣性に対して小さい。そのため、入力軸に回転変動が生じた場合、スプラインにおいて上記のクリアランス分の相対回転が生じる。そのため、入力軸にトルク変動が生じると、プライマリプーリ軸が入力軸に対して連れ回らずに両者の間に相対回転が生じ、その結果、それぞれのスプライン歯同士が当接して歯打ち音が生じ、これがギヤ機構でトルクを伝達している際の騒音となる可能性がある。
【０００５】
この発明は、上記の技術的課題に着目してなされたものであり、ギヤ機構と並列に設けられている無段変速機が遊転している状態で、スプラインの歯打ち音を防止もしくは低減することが可能な車両用動力伝達装置を提供することを目的とするものである。
【課題を解決するための手段】
【０００６】
上記目的を達成するために、この発明では、駆動力源が出力したトルクが伝達される入力軸と、前記トルクを駆動輪に伝達する出力軸と、前記入力軸にスプライン結合された入力側部材を有しかつ前記入力側部材に伝達されるトルクを連続的に変化する変速比に応じて増減して前記出力軸に伝達する無段変速機と、前記入力軸と前記出力軸との間でかつ前記無段変速機と並列に配置されかつ前記入力軸から伝達されるトルクを前記無段変速機で設定できない少なくとも一つの変速比で増減して前記出力軸に伝達するギヤ機構と、前記無段変速機を遊転させかつ前記ギヤ機構を使用する動力伝達経路を成立可能にする油圧式クラッチ機構とを備えた車両用動力伝達装置において、前記入力軸は、前記入力軸の軸線方向に移動可能に構成され、前記油圧式クラッチ機構を係合させる油圧を作用させて前記入力軸を前記入力側部材側に移動させる押圧部が設けられ、前記入力軸におけるスプライン歯の端部と前記入力側部材における前記端部に対向する箇所とに、互いに当接することによりトルク伝達可能に係合する係合部が設けられていることを特徴とするものである。
【発明の効果】
【０００７】
この発明によれば、発進時などにおいて走行のためのトルクをギヤ機構を介して伝達する場合、油圧式クラッチ機構に油圧を供給してその油圧式クラッチ機構を係合させる。その場合、油圧式クラッチ機構に供給した油圧が押圧部にも作用し、入力軸がその軸線方向に押圧され、入力側部材側に移動する。その結果、入力軸におけるスプライン歯の端部に形成されている係合部が入力側部材の係合部に当接し、これらの係合部の間でトルクが伝達される状態になる。油圧式クラッチ機構が係合した状態においても、入力軸と入力側部材すなわち無段変速機とは、スプライン結合によって連結されている。すなわち無段変速機は、トルクを特には伝達しないで回転するいわゆる遊転状態になっている。しかしながら、係合部が上記のように係合することにより入力軸と無段変速機とが一体となって回転するので、入力軸のスプライン歯と入力側部材（無段変速機側）のスプライン歯との相対位置が特には変化しない。したがって、入力軸にトルク変動が生じても、スプライン歯同士が当接したり、それに伴って歯打ち音などの異音が生じたりすることを防止もしくは抑制することができる。
【図面の簡単な説明】
【０００８】
【図１】この発明に係る車両用動力伝達装置の一例を説明するためのスケルトン図である。
【図２】図１の車両用動力伝達装置の要部を説明する断面図である。
【図３】図２の車両用動力伝達装置の要部を拡大して説明する断面図である。
【図４】第１クラッチ機構が解放時の雄スプラインと雌スプラインとの関係を示す断面図である。
【図５】第１クラッチ機構が係合時の雄スプラインと雌スプラインとの関係を示す断面図である。
【発明を実施するための形態】
【０００９】
この発明に係る動力伝達装置は、エンジンやモータなどの駆動力源が出力した動力を駆動輪に伝達するための装置であって、変速機能を備えた装置である。すなわち、一般にはトランスミッションあるいはトランスアクスルと称されている装置である。特にこの発明で対象とする装置は、入力軸から伝達されるトルクを出力軸に伝達する径路が、互いに並列の関係になっている第１動力伝達径路と第２動力伝達経路とによって構成されている。第１動力伝達経路は、無段変速機を備えている。また、第２動力伝達経路は、ギヤ機構を備えている。無段変速機は、従来知られているベルト式の無段変速機であってよい。ベルト式無段変速機は、ＦＦ車（フロントエンジン・フロントドライブ車）に搭載する動力伝達装置に適している。また、ギヤ機構は、要は、入力軸から出力軸にトルクを伝達できるギヤユニットであればよく、この発明では、無段変速機によって設定可能な変速比幅を超えた変速比を設定可能なギヤ機構である。このため、ギヤ機構は、複数のギヤを噛み合わせて構成され、そのギヤ比（歯数の比）は、無段変速機での最大変速比より大きい変速比あるいは最小変速比より小さい変速比を設定できるように構成されている。なお、車両が発進する際に必要とする大きい駆動力を得るために、ギヤ機構は、無段変速機で設定可能な最大変速比より大きい変速比を設定できるように構成することが好ましい。また、走行中における駆動力源の回転数を低くして燃費を低下させるためには、ギヤ機構は、無段変速機で設定可能な最小変速比より小さい変速比を設定できるように構成することが好ましい。
【００１０】
以下、この発明の具体例を、図面を参照しつつ詳細に説明する。図１は、この発明に係る車両用動力伝達装置１の一例を説明するためのスケルトン図である。図１に示す例はＦＦ車に適するように構成した例であり、したがって無段変速機２としてベルト式の無段変速機が採用されており、また駆動力源はガソリンエンジン等の内燃機関（以下、エンジンと記す。）３によって構成されている。入力軸４には、エンジン３から出力されるトルクが入力される。なお。エンジン３のクランク軸と入力軸４との間に、ロックアップクラッチの付いたトルクコンバータ５を連結してもよい。
【００１１】
入力軸４には、無段変速機２のプライマリ軸（入力側部材）６がスプライン結合により連結されている。無段変速機２は、プライマリプーリ７とセカンダリプーリ８とを備えており、これらの間にベルト９が巻き掛けられている。プライマリプーリ７およびセカンダリプーリ８は、ベルト９を巻き掛ける溝の幅を変化させることに伴ってベルト９の巻き掛け半径を大小に変化させる。一方のプーリの溝幅を広げてベルト９の巻き掛け半径を小さくし、それに伴って他方のプーリの溝幅を小さくしてベルト９の巻き掛け半径を大きくすることで変速比が増減する。なお、ベルト９は、チェーンベルトであってもよい。
【００１２】
セカンダリプーリ８の回転軸１０と同一軸線上には、出力軸１１が入力軸４と平行に配置されている。出力軸１１は、中空軸によって構成されていて、内部にセカンダリプーリ８の回転軸１０が相対的に回転可能に挿通されている。出力軸１１には、従動ギヤ１２が一体的に設けられている。なお、図１では、ＦＦ車に適するように出力軸１１および入力軸４を車幅方向に並べて配置した一例を示している。
【００１３】
出力軸１１に伝達されるトルクは、終減速機であるフロントデファレンシャル１３に伝達されるように構成されている。つまり出力軸１１に出力ギヤ１４が取り付けられ、この出力ギヤ１４に噛み合っている大径ギヤ１５が減速ギヤシャフト１６に取り付けられている。減速ギヤシャフト１６には、小径ギヤ１７が取り付けられており、小径ギヤ１７がフロントデファレンシャル１３のリングギヤ１８に噛み合っている。そして、フロントデファレンシャル１３は、リングギヤ１８を介して伝達されたトルクを左右のドライブシャフト１９から駆動輪２０に伝達するように構成されている。
【００１４】
入力軸４と出力軸１１との間には、無段変速機２と並列的に配置されたギヤ機構２１を備えている。ギヤ機構２１は、無段変速機２によって設定可能な変速比幅を超えた変速比が設定されている。図１に示す例で説明するギヤ機構２１は、前後進切換機構２４を備えている。前後進切換機構２４は、その前後進切換機構２４から出力されるトルクの作用方向が入力軸４におけるトルクの作用方向と同じになるようにトルク伝達する前進状態と、前後進切換機構２４から出力されるトルクの作用方向が入力軸４におけるトルクの作用方向は反対になるようにトルク伝達する後進状態とを設定するための機構である。この実施例では、三つの回転要素によって差動作用をなす差動機構によって前後進切換機構２４が構成されている。この種の差動機構としては、従来知られている種々の差動機構を採用することができる。図１に示す例では、ダブルピニオン型の遊星歯車機構によって前後進切換機構２４が構成されている。
【００１５】
ダブルピニオン型の遊星歯車機構は、外歯歯車であるサンギヤ２７と、そのサンギヤ２７と同心円上に配置された内歯歯車であるリングギヤ２８と、サンギヤ２７に噛み合っている第１ピニオンギヤ２９と、その第１ピニオンギヤ２９ならびにリングギヤ２８に噛み合っている第２ピニオンギヤ３０と、これら第１ピニオンギヤ２９および第２ピニオンギヤ３０を自転かつ公転可能に保持しているキャリヤ３１とを備えている。入力軸４は、前後進切換機構２４におけるキャリヤ３１に一体となって回転するように連結されている。また、サンギヤ２７には中空軸であるサンギヤ軸３２が一体化されており、そのサンギヤ軸３２の内部を入力軸４が貫通し、サンギヤ軸３２と入力軸４とは相対回転できるように支持されている。サンギヤ軸３２の延長部分には、駆動ギヤ３４が一体的に回転するように設けられている。
【００１６】
前後進切換機構２４には、前進走行用の第１クラッチ機構３９が配置されている。第１クラッチ機構３９は、油圧式の摩擦クラッチ機構になっている。第１クラッチ機構３９は、前進走行時にサンギヤ軸３２とキャリヤ３１との間でトルクを伝達する係合状態に切り替わる。また、前後進切換機構２４には、後進走行用のブレーキ機構４２が配置されている。ブレーキ機構４２は、後進走行時にリングギヤ２８の回転を停止する係合状態に切り替わる。
【００１７】
さらに、前後進切換機構２４には、入力軸４と平行にカウンタシャフト３３が配置されている。カウンタシャフト３３には、駆動ギヤ３４に噛み合っているカウンタドリブンギヤ３５が一体化されて設けられている。このカウンタドリブンギヤ３５は駆動ギヤ３４よりも大径であって、駆動ギヤ３４からカウンタドリブンギヤ３５に向けてトルクを伝達する場合には減速作用を生じるように構成されている。カウンタシャフト３３には、カウンタドリブンギヤ３５よりも径の小さいカウンタドライブギヤ３６が取り付けられており、このカウンタドライブギヤ３６に噛み合っている従動ギヤ１２が出力軸１１上に出力軸１１に対して相対回転できるように配置されている。
【００１８】
ギヤ機構２３と出力軸１１との間には、第２クラッチ機構３７が配置されている。第２クラッチ機構３７は、カウンタシャフト３３とカウンタドライブギヤ３６とを連結し、またその連結を解くように構成されている。なお、第２クラッチ機構３７は、係合状態と解放状態との二つの状態に切り替わる構成のものでよい。そのため、第２クラッチ機構３７は、ドグクラッチなどによって構成することができる。図１には、カウンタドライブギヤ３６のボス部に形成されたスプラインと、カウンタシャフト３３のハブに形成したスプラインとにスリーブ３８を嵌合させることによりカウンタシャフト３３に伝達されるトルクをカウンタドライブギヤ３６に伝達可能にする機構の一例を示している。
【００１９】
カウンタドライブギヤ３６には、従動ギヤ１２が噛み合っている。従動ギヤ１２は、カウンタドライブギヤ３６よりも大径であって、カウンタドライブギヤ３６から従動ギヤ１２に向けてトルクを伝達する場合には減速作用が生じるように構成されている。したがって、ギヤ機構２１の変速比（ギヤ比）は、駆動ギヤ３４とカウンタドリブンギヤ３５との間の変速比と、カウンタドライブギヤ３６と従動ギヤ１２との間の変速比を乗算した変速比となり、ギヤ機構２１は、その値が無段変速機２での最大変速比より大きくなるように構成されている。
【００２０】
従動ギヤ１２とセカンダリプーリ８との間には、第３クラッチ機構４０が配置されている。第３クラッチ機構４０は、出力軸１１をセカンダリプーリ８に連結する係合状態とその連結を解く解放状態とに切り替わる。第３クラッチ機構４０が解放状態に切り替わると無段変速機２が遊転状態になる。第３クラッチ機構４０は、要はセカンダリプーリ８と出力軸１１との間でのトルクの伝達および遮断を選択的に行うことができるものであればよい。このため、第３クラッチ機構４０は、摩擦クラッチや噛合式のクラッチのいずれであってもよい。
【００２１】
無段変速機２を経由してトルクを出力軸１１に伝達する第１動力伝達経路は、第３クラッチ機構４０が係合状態に、かつ第１クラッチ機構３９およびブレーキ機構４２が解放状態に替わることにより形成される。このとき、第２クラッチ機構３７は係合状態であってもよい。また、無段変速機２を遊転させる第２動力伝達経路、つまりギヤ機構２１を経由してトルクを出力軸１１に伝達する第２動力伝達経路は、第１クラッチ機構３９および第２クラッチ機構３７が係合状態に、かつ第３クラッチ機構４０およびブレーキ機構４２が解放状態に切り替わることにより形成される。第２動力伝達径路は、この発明の実施形態における動力伝達経路の一例である。動力伝達装置１では、例えば車両の発進時に第２伝達経路を使用し、車両の前進走行時に第１動力伝達経路を使用する。なお、車両の後進走行時には、第１クラッチ機構３９および第２クラッチ機構３７が解放状態に、かつ第３クラッチ機構４０およびブレーキ機構４２が係合状態に切り替わる。
【００２２】
図２は、図１に示した動力伝達装置の要部を説明する断面図である。図２に示すように入力軸４の半径方向で外側には、第１固定軸４５が固定部４１と固定して配置されている。第１固定軸４５は、半径方向の内側で入力軸４を回転自在に支持している。第１固定軸４５の半径方向で外側には、第２固定軸５０が固定部４１と固定して配置されている。第２固定軸５０は、第１固定軸４５とその第１固定軸４５の回転方向および軸線方向で一体的に連結されている。第２固定軸５０の半径方向で外側には、サンギヤ軸３２が配置されている。サンギヤ軸３２は、第２固定軸５０に対して相対的な回転が可能で、かつ軸線方向で相対的に移動可能に配置されている。サンギヤ軸３２における軸線方向で一方側には、入力軸４に当接する当接部４６が設けられている。当接部４６は、サンギヤ軸３２と入力軸４との相対回転を許容し、かつ軸線方向の相対移動を阻止する。
【００２３】
第１固定軸４５、第２固定軸５０およびサンギヤ軸３２には、油圧供給機構から第１クラッチ機構３９の油圧室５１に作動油を供給する油路５２が形成されている。油圧供給機構は、油圧源や油圧アクチュエータを含む。油路５２は、第１油路５３、第２油路５４および第３油路５５等で構成されている。第１油路５３は、第１固定軸４５に、軸線方向に沿って溝状に形成されている。第２油路５４は、半径方向に向けた油路であって第２固定軸５０に貫通して形成されている。第３油路５５は、半径方向で外側に延びてサンギヤ軸３２に形成されており、半径方向で外側の開口部が油圧室５１に接続されている。その第３油路５５は、第２油路５４に対して小孔に形成されている。
【００２４】
入力軸４の軸線方向で一方側の端部４ａの外周には、雄スプライン５６が形成されている。無段変速機２のプライマリ軸６には、端部４ａを軸線方向から受け入れる穴５７が形成されており、雄スプライン５６に係合する雌スプライン５８が穴５７の内周面に形成されている。雄スプライン５６および雌スプライン５８は、スプライン同士を円滑に結合させるために、回転方向で遊びを有して結合している。また、雄スプライン５６は、雌スプライン５８に対して軸線方向における所定の範囲で移動可能に結合している。所定の範囲は、雄スプライン５６における軸線方向で一方側の先端が雌スプライン５８における軸線方向で一方側の根元に当接する当接位置と、その当接位置から雄スプライン５６の一方側の先端が他方側に所定長さだけ離れた離間位置との間の範囲となっている。
【００２５】
図３は、図２で説明した油路５２を拡大して示す断面図である。図３に示すように第３油路５５における第２油路５４の接合面には、径差により受圧面５９が形成されている。受圧面５９は、第３油路５５に対してその中心が軸線方向で一方側にズレて作られている。つまり、第３油路５５は、入力軸４が離間位置の際に、第２油路５４に対して中心が軸線方向で長さＬの分だけ他方側にズレて配置されている。したがって、受圧面５９は、第３油路５５の中心を挟んで軸線方向で他方側の面積よりも一方側の面積が広くなっている。このため、受圧面５９に作用する油圧により生じる押圧力は、軸線方向で他方側の押圧力よりも一方側に生じる押圧力が大きくなる。そして、サンギヤ軸３２が軸線方向で一方側に向けて移動可能に配置されている。このため、受圧面５９に作用する油圧によりサンギヤ軸３２が図３で左向きに押される。この押圧力は、当接部４６を介して入力軸４に伝達される。これにより、入力軸４がプライマリ軸６に当接する方向に向けて押される。なお、符号６２は、第２固定軸５０の外周面とサンギヤ軸３２の内周面との間で、かつ第２油路５４の軸線方向で両側に配置されたオイルシールである。上記で説明した受圧面５９は、この発明における実施形態での押圧部の一例である。
【００２６】
図４は、第１クラッチ機構が解放時の入力軸とプライマリ軸との位置関係を示す断面図である。図５は、第１クラッチ機構が係合時の入力軸とプライマリ軸との位置関係を示す断面図である。図４に示すように入力軸４の端部４ａの外周には、雄スプライン５６が形成されている。プライマリ軸６の穴５７の内周面には、雌スプライン５８が形成されている。
【００２７】
雄スプライン５６は、軸線方向に平行に、かつ回転方向に等間隔で溝を入力軸４の外周面から削り出して形成されている。つまり、雄スプライン５６は、半径方向で外側に突出した複数の歯５６ａと複数の歯５６ａの間に配置された複数の溝５６ｂとを有する。歯５６ａにおける軸線方向で一方側の先端には、面取り部６４が形成されている。面取り部６４は、半径方向で外側に向かうほど雌スプライン５８の根元から離れる方向に傾斜する斜面になっている。面取り部６４と歯５６ａとが繋がる部分には、角部６６が設けられている。角部６６は、２つの斜面で尖るように、面取り部６４に繋がる一方の斜面と歯５６ａの先端に繋がる他方の斜面とで構成されている。
【００２８】
雌スプライン５８は、軸線方向に平行に、かつ回転方向に等間隔で溝を穴５７の内周面から削り出して形成されている。つまり、雌スプライン５８は、半径方向で内側に突出した複数の歯５８ａと複数の歯５８ａの間に配置された複数の溝５８ｂとを有する。溝５８ｂにおける軸線方向で一方側の根元には、テーパ部６８が形成されている。テーパ部６８は、半径方向で内側に向かうほど入力軸４から離れる方向に傾斜する斜面になっている。
【００２９】
そして、図５に示すように作動油が第１クラッチ機構３９に供給されると、入力軸４が軸線方向で一方側へ移動するため、複数の雄スプライン５６の角部６６が複数の雌スプライン５８のテーパ部６８に各々当接し、角部６６がテーパ部６８に食い込むことにより角部６６の頭に楔作用が生じる。つまり角部６６の尖りを構成する２つの斜面（歯５６ａ，面取り部６４）に生じる楔作用は、入力軸４が軸線方向でプライマリ軸６に押圧する力に対する反力によってプライマリ軸６が入力軸４を軸線方向で接近する方向に押し付け、入力軸４とプライマリ軸６との相対的な回転を阻止する。なお、プライマリ軸６に雌スプライン５８を設け、入力軸４に雄スプライン５６を設けてもよい。角部６６およびテーパ部６８は、この発明の実施形態である係合部の一例である。
【００３０】
ギヤ機構２１を使用する際には、図５に示すように油圧室５１に供給される作動油により入力軸４がプライマリ軸６に向けて押されて角部６６とテーパ部６８とが当接する。これにより、角部６６の頭に生じる楔作用により入力軸４とプライマリ軸６とがトルク伝達可能に係合する。このとき、トルク変動が生じてもプライマリ軸６が入力軸４と一緒に回転しているため、雄スプライン５６および雌スプライン５８の間のガタにより生じる歯打ち音を低減又は防止することができる。
【００３１】
無段変速機２を使用する際には、第１クラッチ機構３９への作動油の供給が停止される。このため、入力軸４を軸線方向で一方側に向けた押圧が停止される。このとき、第３クラッチ機構４０が係合状態に切り替わるため、駆動輪２０側の負荷が入力軸４とプライマリ軸６とを回転方向で連結するスプライン結合に掛かる。スプライン結合に大きな負荷が掛かると、入力軸４には、雄スプライン５６が軸線方向で一方側に逃げようとする力が発生する。このため、無段変速機２を使用すると、角部６６がテーパ部６８から抜けて入力軸４とプライマリ軸６との回転方向での一体化が解除されることがある。この場合には、次回にギヤ機構２１を使用する際に第１クラッチ機構３９に作動油が供給されるため、再び入力軸４とプライマリ軸６とが回転方向で一体化される。このため、雄スプライン５６および雌スプライン５８の間のガタにより生じる歯打ち音を継続して低減又は防止することができる。なお、この発明に係る係合部は、上記構成に限らず、要は楔作用により入力軸４とプライマリ軸６とが回転方向で一体化されればよく、よって、雄スプライン５６および雌スプライン５８の少なくとも一方に、他方に向けて尖った角部を設け、他方にテーパ部６８を設ければよい。
【００３２】
以上、この発明を実施するための形態について実施例を用いて説明したが、本発明はこうした実施例に何等限定されるものではなく、この発明の要旨を逸脱しない範囲内において、種々なる形態で実施し得ることは勿論である。例えば前述した実施例では、動力源としてエンジンである内燃機関が適用されていたが、例えばモータを動力源として使用することができる。
【００３３】
また、ギヤ機構を使用する動力伝達経路を成立可能にする油圧式クラッチ機構を、上記各実施例では第１クラッチ機構３９、第２クラッチ機構３７、第３クラッチ機構４０およびブレーキ機構４２で構成しているが、この発明ではこれらに限定されない。要は複数のクラッチ機構における少なくとも一つのクラッチ機構を係合させるための油圧の作用により入力軸４をプライマリ軸６に向けて移動させるように押圧部を構成すればよい。さらに、上記クラッチ機構を設ける位置は、上記各実施例で説明した位置に限定する必要は特にはないのであって、それぞれの本来の機能を損なわない範囲で適宜な位置に設けることができる。
【符号の説明】
【００３４】
１…動力伝達装置、  ２…無段変速機、  ３…エンジン、  ４…入力軸、  ６…プライマリ軸、  ２１…ギヤ機構、  ３９…第１クラッチ機構、  ４０…第３クラッチ機構、  ５９…受圧面、  ５６…雄スプライン、  ５８…雌スプライン、  ６６…角部、  ６８…テーパ部。
【図１】
2020026852.tif 000003
【図２】
2020026852.tif 000004
【図３】
2020026852.tif 000005
【図４】
2020026852.tif 000006
【図５】
2020026852.tif 000007